(57)【要約】【解決手段】  搬送用コンベヤと押えコンベヤと洗浄室とからなる海苔網の洗浄装置であって、洗浄室の上方に配置された搬送用コンベヤから洗浄室内の下方へ送り出される海苔網に対して洗浄室に適宜配置されたノズルから高圧洗浄水を噴射して洗浄することを特徴とする。【効果】  従来技術は搬送コンベヤで搬送しながら高圧洗浄水を噴射していたので搬送用コンベヤと接する面は洗浄することができなかったが、本考案は洗浄時に搬送用コンベヤに接する状況が起こり得ず、完全な洗浄が可能となる。【選択図】    図２
0003134543.tif 000002
【実用新案登録請求の範囲】
【請求項１】
洗浄すべき海苔網を搬送する搬送用コンベヤと、
搬送用コンベヤの始端付近に配置される押えコンベヤと、
海苔網を洗浄するための洗浄室からなる洗浄装置であって、
搬送用コンベヤと押えコンベヤとは洗浄室の上方に配置され、
洗浄室には海苔網に高圧洗浄水を噴射するノズルを適宜配置し、搬送用コンベヤから洗浄室内で下方へと送り出される海苔網を前記ノズルから噴射される高圧洗浄水で洗浄することを特徴とする海苔網洗浄装置。
【請求項２】
ノズルは、下方へ送り出される海苔網の網面の両側に複数、交差して配置されることを特徴とする請求項１記載の海苔網洗浄装置。
【請求項３】
縦長形状の洗浄室に続いてその下端から一の方向へ傾斜する搬出部を延長させて形成し、この搬出部にもノズルを配置したことを特徴とする請求項１または２のいずれかに記載の海苔網洗浄装置。
【考案の詳細な説明】
【技術分野】
【０００１】
本考案は、養殖海苔収穫時期終了後の海苔網を陸上において洗浄するための装置に関するものである。
【背景技術】
【０００２】
養殖海苔収穫時期終了後、海上に設置している海苔網を撤去し、陸上において海苔網に付着している汚れ物を洗浄装置で洗浄することが従来から行われている。この場合に用いられている洗浄装置は家庭用洗濯機を大きくしたような槽状のものであって、渦巻式で海苔網と水とを周回させる形式のものであった。
【特許文献１】実用新案登録第３１３１９０８号公報
【０００３】
また、特許文献１や図５（ａ）に示すように搬送用コンベヤ１０１を用いて高圧洗浄水を噴射させる洗浄室１０２を配置した先行技術も存在する。これは洗浄室の天井部分に設置する天井ノズル１０３と側壁部分に設置する側壁ノズル１０４により高圧洗浄水を噴射させて洗浄するものであった。
また、図５（ｂ）に示すように、搬送用コンベヤ１０１のコンベヤベルト１０５を網目状のベルトにする先行技術も存在した。
【考案の開示】
【考案が解決しようとする課題】
【０００４】
上記渦巻式の槽状洗浄機は、洗浄能力が弱いため養殖海苔収穫時期終了後すぐには洗浄ができなかった（網に付着している海苔自体が硬く、又、網への付着力が強いから）。そのため、３ヶ月間余り費やして網に付着している海苔を腐食させ、網から分離し易い状態にして洗浄していた。しかも一度では完全に洗浄できないため数回間隔を置き、繰り返すことが必要となり、又、網に付着している海苔を腐食させるため、悪臭が漂い環境破壊として使用地域で大きな問題となっていた。
また、作業中に手を巻き込まれる事故が多発していること、渦巻式の拘束周回により網の傷み、劣化を防ぐため、改善が必要であった。
また、搬送コンベヤを用いて洗浄室内で高圧洗浄水を噴射させて洗浄する洗浄装置は、搬送コンベヤで搬送しながらノズルから噴射される高圧洗浄水によって洗浄するものであるが、海苔網の搬送コンベヤと接する面は洗浄しきれなかった。
また、コンベヤベルトを網目状のベルトにした場合は海苔網と搬送コンベヤとの接する面も洗浄することは可能であるが、この面に直接高圧洗浄水を噴射させることはできないので、洗浄しきれなかった。
【０００５】
本考案はこのような欠点を解消することを目的とするものであって、作業者に安全で優しく、軽労働で済み、洗浄時間を大幅に短縮し、網の傷みを最大限防ぐことができるとともに、海苔網全体に洗浄されない部分が残らないようにして、完全な洗浄が可能となる装置を提供しようとするものである。
【課題を解決するための手段】
【０００６】
上記目的を達成するために、本考案は、洗浄すべき海苔網を搬送する搬送用コンベヤと、搬送用コンベヤの始端付近に配置される押えコンベヤと、海苔網を洗浄するための洗浄室からなる洗浄装置であって、搬送用コンベヤと押えコンベヤとは洗浄室の上方に配置され、洗浄室には海苔網に高圧洗浄水を噴射するノズルを適宜配置し、搬送用コンベヤから洗浄室内で下方へと送り出される海苔網を前記ノズルから噴射される高圧洗浄水で洗浄することを特徴とするものである。
【０００７】
また、ノズルは、下方へ送り出される海苔網の網面の両側に複数、交差して配置されることが好ましい。
【０００８】
また、縦長形状の洗浄室に続いてその下端から一の方向へ傾斜する搬出部を延長させて形成し、この搬出部にもノズルを配置することが好ましい。
【考案の効果】
【０００９】
請求項１記載の海苔網洗浄装置を用いた場合には、洗浄されない面がでることなく完全な洗浄をすることが可能になる。つまり、従来技術は搬送コンベヤで搬送しながら海苔網の上や側方から高圧洗浄水を噴射していたが、どうしても搬送用コンベヤと接する面は洗浄しきれなかった。本考案は、洗浄室内において上から下へと送り出される海苔網に対して、少なくとも両側から高圧洗浄水を噴射して洗浄するものであるから、従来のように洗浄室内において海苔網が搬送用コンベヤに接するという状況は起こり得ず、完全な洗浄が可能となる。
また、搬送用コンベヤの始端上方に押えコンベヤを配置することによって、網が自動的に搬送できるとともに、網が絡まるなどダンゴ状で搬送される状態であったとしても、押えコンベヤの始端側のローラが自動的に跳ね上がり洗浄すべき海苔網を確実かつスムーズに搬送することができる。
本考案の海苔網洗浄装置は、搬送用コンベヤの始端に洗浄すべき海苔網を置くだけで自動的に搬送されて洗浄されるものであるため、作業者に安全で優しく、軽労働で済み、洗浄時間を大幅に短縮することが実現される。また、高圧洗浄水の噴射による洗浄であるから、従来の家庭用洗濯機のような渦巻式の洗浄ではないので、網の傷み、劣化を防止した洗浄が可能となる。
【００１０】
また、請求項２記載の海苔網洗浄装置を用いた場合には、洗浄室内で下方向へ送り出される海苔網に対して、両側方から高圧洗浄水による洗浄がなされ、従来技術のように搬送用コンベヤに接する面に高圧洗浄水があたらない面がでることなく、完全な洗浄が可能となる。
【００１１】
また、請求項３記載の海苔網洗浄装置を用いた場合には、本海苔網洗浄装置の洗浄室内で高圧洗浄水を噴射して汚れ物を取り除いた場合、汚れ物は洗浄水とともに洗浄室の下方に落ちていき、海苔網の表面等に再付着する可能性がある。そこで、搬出部を傾斜させて洗浄水とともに海苔網を搬出するようにしつつ、洗い流し用のノズルが配置され、洗浄水を噴射して洗浄された汚れ物が再付着したとしても、それを完全に洗い流すことができ、完全な洗浄が可能となる。
【考案を実施するための最良の形態】
【００１２】
本考案にかかる海苔網洗浄装置の一例を、図面を参照しながら詳細に説明する。
ここに例示する海苔網洗浄装置にあっては、図１に示すように、縦長長方形状の本体フレーム１０の上側に、搬送フレーム１と洗浄すべき海苔網１１を搬送するための搬送用コンベヤ２が配置され、その始端上方には押えコンベヤ３が前記搬送用コンベヤ２に沿うように配置されている。
そして図１、図２に示すように搬送用コンベヤ２により搬送された海苔網１１に対し高圧洗浄水Ａを噴射させ得るノズル４ａ、４ａ、４ａを配置した洗浄室４、洗浄した海苔網１１を搬出する搬出部１２が洗浄室４の下端に配置されている。
【００１３】
図３に示すように搬送用コンベヤ２と押えコンベヤ３とは、減速機付きのギャードモータＭにより図３の矢印方向に走行するようにする。それには、以下に示すような伝動機構を利用するとよい。例えば、搬送用コンベヤ２の始端側（図３の左側）のローラ２ａと対になるようにローラ２ｂを配置し、このローラ２ｂの軸２ｂ´に歯車２ｃを、押えコンベヤ３の終端側（図３の右側）のローラ３ａの軸３ａ´に歯車３ｃをそれぞれ取り付け、両歯車２ｃ、３ｃを噛合させる。そして前記ローラ２ａの軸２ａ´にプーリ２ｄを、前記ローラ２ｂの軸２ｂ´にプーリ２ｅをそれぞれ取り付け、両プーリ２ｄ、２ｅにベルト５を渡し掛ける一方、前記ローラ３ａの軸３ａ´にプーリ３ｄを、前記ローラ３ｂの軸３ｂ´にプーリ３ｅを取り付け、両プーリ３ｄ、３ｅにベルト５を渡し掛ける。また、歯車３ｃの外側にプーリ３ｄ´を、前記モータＭの軸Ｍ´にプーリｍをそれぞれ取り付け、両プーリ３ｄ´、ｍにベルト６を渡し掛ける。
【００１４】
このようにすると、モータＭの回転力がベルト６を介して押えコンベヤ３のローラ３ａに、さらに、互いに噛み合っている歯車３ｃと歯車２ｃ、およびベルト５を介して搬送用コンベヤ２のローラ２ａに伝わり、搬送用コンベヤ２と押えコンベヤ３とを図３の矢印方向に走行させることができる。また、ベルト５を介して押えコンベヤ３のローラ３ｂに伝わり、押えコンベヤ３を図３の矢印方向に走行させることができる。図２に示すように、この走行により搬送用コンベヤ２の始端側においては、搬送用コンベヤ２と押えコンベヤ３とで洗浄すべき海苔網１１を上下から挟み込んでそれを確実に搬送することができる。
また、仮に海苔網１１が固まったり絡み合ったりして団子状態の部分があったとしても、押えコンベヤ３の始端側に位置するローラ３ｂが自動的に跳ね上がり、網を確実かつスムーズに搬送することができる。
このような搬送コンベヤ２と押えコンベヤ３とによる搬送手段をとることにより、作業者が搬送コンベヤ２の始端部分に洗浄すべき海苔網１１を置くだけで搬送、洗浄されるのであるから、従来の海苔網洗浄装置に比べて作業者の手を巻き込ませたりすることなく、安全な作業を実現することが可能になる。
【００１５】
図３に示すように、押えコンベヤ３側のプーリ３ｄの外周面と搬送用コンベヤ２側のプーリ２ｅの外周面が互いに接触するように配設しておくと、プーリ３ｄとプーリ２ｅからベルト６とベルト５が外れることがない。
なお、前記歯車２ｃ、３ｃをエムシーナイロン製とすれば、従来のナイロン樹脂に比べて機械的強度、耐久性に優れたものになるのみならず、錆びることがない。また、前記本体フレーム１０、搬送フレーム１、プーリ２ｄ、２ｅ、３ｄ、３ｄ´、３ｅをスレンレス製にすれば、これらも錆びることがない。
【００１６】
図１、図２に示すように、洗浄室４は本体フレーム１０の内部に配置されている縦長のトンネル状の室で、洗浄室４の外側にノズル４ａ、４ａ、４ａが設置されている。
洗浄室４の上端に搬入口１３が配置されており、その上方に設けられている搬送コンベヤ２により搬送された海苔網１１が搬入口１３から洗浄室４に搬入される。洗浄室４に搬入された海苔網１１は、洗浄室４に沿うように垂直に降下しつつ、ノズル４ａ、４ａ、４ａから噴出される高圧洗浄水Ａ（後述する）により洗浄される。
【００１７】
ノズル４ａ、４ａ、４ａは高圧送水ホース（図示しない）を介して高圧洗浄ポンプ（図示しない）と接続されており、高圧洗浄ポンプを稼動させることにより各ノズル４ａ、４ａ、４ａから高圧洗浄水Ａを噴射させることができる。
各ノズル４ａ、４ａ、４ａは本体フレーム１の内部に設置されており、洗浄すべき海苔網１１に対して両側方に配置されている。各ノズル４ａ、４ａ、４ａから噴射された高圧洗浄水Ａはノズル孔４ｂ、４ｂ、４ｂ、４ｂを通して洗浄室内の海苔網１１に噴射される。
多数のノズル４ａ、４ａ、４ａは洗浄室４内を下降する海苔網１１に対して左右両側に設置されている。海苔網１１を最適に洗浄するために、図１、図２に示すようにノズル４ａ、４ａ、４ａを交差して配置しておくとよい。その他、最適に洗浄し得るように様々な角度でノズルを設置してもよい。
また、ノズル４ａ、４ａ、４ａを適宜摺動させ、一定範囲に高圧洗浄水Ａを噴射させることにすることが好ましい。その他、海苔網１１の汚れが激しい場合でも完全に洗浄し得るように、特殊ノズル４ａ´を設置するなど種々の変更が可能になる。図１、図２には一ヶ所のみ特殊ノズル４ａ´を図示しているが、適宜複数ヶ所に設置するなど変更するとよい。高圧洗浄ポンプ（図示しない）と高圧送水ホース（図示しない）との接続部分にカプラーを使用すれば、ワンタッチで着脱可能である。
【００１８】
高圧洗浄水Ａを海苔網１１に噴射させることによって、汚れ物が付着している海苔網を自動的に洗浄して海苔網１１に付着している汚れ物を取り除くことができる。また、高圧洗浄水Ａは洗浄室４内に噴射せしめられるから、周囲に飛び跳ねることもない。しかも、ノズル孔４ｂ、４ｂ、４ｂ、４ｂの対面には受板４ｃ、４ｃ、４ｃ、４ｃが適宜配置されており、高圧洗浄水Ａの噴射によって洗浄室内が劣化することを防ぐことができる。
また、従来技術における高圧洗浄水Ａの噴射による洗浄では、高圧洗浄水が噴射される面しか洗浄されず、その反対面に汚れ物が残る場合があったが、本考案は洗浄すべき海苔網１１の両側方に適宜配置されたノズル４ａ、４ａ、４ａから噴射される高圧洗浄水Ａにより洗浄されるため、汚れ物を効果的に洗浄することが可能になる。
【００１９】
洗浄室４の下端には搬出部１２が設置される。搬出部１２は、上下垂直方向に形成された洗浄室４の下端を屈曲させた形状で、図１、図２に示すように正面からみて、左方向へ約６０度傾斜させている。搬出部１２の先端は開口されており、この開口部分１２ｄから洗浄された海苔網１１が搬出される。
本海苔網洗浄装置の洗浄室４は縦長の形状であるから、高圧洗浄水Ａを噴射して汚れ物を取り除いた場合、汚れ物は洗浄水とともに洗浄室４の下方に落ちていく。搬出部１２は斜め方向に傾斜しているので、洗浄水が海苔網１１とともに搬出され、直接もしくはホース（図示しない）を経由して回収ボックス（図示しない）に回収し得るようにすればよい。
搬出部１２には洗い流し用のノズル１２ａが配置され、ノズル孔１２ｂを通して高圧洗浄水Ａを海苔網１１に噴射することができるので、洗浄された汚れ物が再付着したとしても完全に洗い流すことができる。洗い流し用ノズル１２ａに対しても受板１２ｃが配置されており、連続した高圧洗浄水Ａの噴射による搬出部１２の劣化を防ぐことができる。
【００２０】
また、ここに例示する海苔網洗浄装置にあっては、図４（ａ）、（ｂ）、（ｃ）に示すように、搬送用コンベヤ２と押えコンベヤ３の搬送面に、前後左右に多数の突起物８、８を備えている。多数の突起物８、８で搬送すべき海苔網１１を確実に引っ掛け、スムーズに搬送することができる。特に海苔網１１の付着物が多く、汚れが激しくて網糸が太くなってしまっていて多数の突起物８、８に引っ掛かり難い場合でも、搬送用コンベヤ２始端上方に押えコンベヤ３が配置されているので、この押えコンベヤ３により海苔網１１を搬送用コンベヤ２側に押し付けて確実に搬送することができる。
【００２１】
図４（ｃ）に示すように、搬送用コンベヤ２と押えコンベヤ３のベルトを、心体層８ａと表面層８ｂの二層からなるものとするとよい。そして、例えば、前記心体層８ａをポリエステル製、表面層８ｂをポリ塩化ビニル製とすると、海苔網の傷みを極力押えることができる。なお、多数の突起物８、８は前記表面層８ｂ側に形成する。
【００２２】
前記のとおり、押えコンベヤ３の始端側は跳ね上がるように設置されている。すなわち、押えコンベヤ３の始端側に位置するローラ３ｂが跳ね上がるように設置されている。前記ローラ３ｂがこのようになっていると、海苔網１１が固まってダンゴ状に搬送される場合があったとしても、押えコンベヤ３の始端側に位置するローラ３ｂが自動的に跳ね上がり、海苔網１１を確実かつスムーズに搬送することができる。
【００２３】
さらに、ここに例示する海苔網洗浄装置にあっては、図２、図４（ｂ）に示すように、搬送用コンベヤ２のローラ軸２ｂ´と押えコンベヤのローラ軸３ａ´を上下方向、左右方向とも偏芯させ、搬送用コンベヤ２と押えコンベヤ３とで搬送すべき海苔網１１を上下から強く挟み込んで搬送するようにしてある。このようにすることにより、搬送すべき海苔網１１が搬送用コンベヤ２と押えコンベヤ３の突起物８、８により一層食い込むから、搬送すべき海苔網１１を確実かつスムーズに搬送することができる。
【００２４】
また、ここに例示する海苔網洗浄装置にあっては、搬送用コンベヤ２の伸びを調整し得る伸び調整装置（図示しない）が備えられるとよい。伸び調整装置としては搬送用コンベヤ２の搬送方向に動かし得る２ａのネジ棒からなる場合であってもよい。ネジ棒によるものであれば、その先端が搬送用コンベヤ２の始端側のローラ２ａのメタルを押すことによって搬送用コンベヤ２の伸びを容易に調整することができる。
【００２５】
図１、２において、モータＭが載せられる取り付け台ｍ´が設置されている。また、図示しないが、各ベルト５、６にはテンションローラを取り付けてもよい。
なお、図示しないが、本体フレーム１０、搬送フレーム１は通常カバーで覆っておき、搬送用コンベヤ２の状態を確認したり、補修点検する際には開放し得るようにしておくのがよい。また、モータＭその他の回転部分や駆動部分についても全てカバーで覆っておき、作業者の安全を最優先できるようにしておくとよい。
【図面の簡単な説明】
【００２６】
【図１】本海苔網洗浄装置の一例を示す正面図である。
【図２】本海苔網洗浄装置の一例を示す正面図で、海苔網を洗浄する状態を示すものである。
【図３】本海苔網洗浄装置の搬送用コンベヤと押えコンベヤの一例を示す一部切欠の正面図である。
【図４】本海苔網洗浄装置において用いられているコンベヤベルトの詳細図で、（ａ）はその一部を拡大して示す正面図、（ｂ）は（ａ）の右側面図、（ｃ）は（ａ）のＩ−Ｉ線断面図である。
【図５】従来例の一例を示すもので、（ａ）は海苔網洗浄装置の斜視図、（ｂ）はコンベヤベルトの斜視図である。
【符号の説明】
【００２７】
１…搬送フレーム
２…搬送用コンベヤ
２ａ…ローラ
２ａ´…軸
２ｂ…ローラ
２ｂ´…軸
２ｃ…歯車
２ｄ…プーリ
２ｅ…プーリ
３…押えコンベヤ
３ａ…ローラ
３ａ´…軸
３ｂ…ローラ
３ｂ´…軸
３ｃ…歯車
３ｄ…プーリ
３ｄ´…外側プーリ
３ｅ…プーリ
４…洗浄室
４ａ…ノズル
４ａ´…特殊ノズル
４ｂ…ノズル孔
４ｃ…受板
５…ベルト
６…ベルト
８…突起物
１０…本体フレーム
１１…海苔網
１２…搬出部
１２ａ…洗い流し用ノズル
１２ｂ…ノズル孔
１２ｃ…受板
１２ｄ…開口部分
１３…搬入口
Ａ…高圧洗浄水
Ｍ…モータ
Ｍ´…モータの軸
ｍ…プーリ
ｍ´…取り付け台
１０１…搬送用コンベヤ
１０２…洗浄室
１０３…天井ノズル
１０４…側壁ノズル
１０５…コンベヤベルト
【図１】
0003134543.tif 000003
【図２】
0003134543.tif 000004
【図３】
0003134543.tif 000005
【図４】
0003134543.tif 000006
【図５】
0003134543.tif 000007